(57)【要約】  【課題】  従来の歩行型管理機においては、圃場管理作業における整地の精度が必ずしも十分ではない。  【解決手段】  機体１０と、機体１０に設けられたトランスミッションケース３０と、トランスミッションケース３０から伝えられる動力を利用して耕耘を行う耕耘装置４０と、トランスミッションケース３０へ取付けられた整地機構１０００と、を備え、整地機構１０００は、機体１０が矢印Ｘ２で示された向きに進行する場合において耕耘装置４０の後方に位置する整地板１１００を有する歩行型管理機である。【選択図】  図１
2019205382.tif 000002
【特許請求の範囲】
【請求項１】
機体と、
前記機体に設けられたトランスミッションケースと、
前記トランスミッションケースから伝えられる動力を利用して耕耘を行う耕耘装置と、
前記トランスミッションケースへ取付けられた整地機構と、
を備え、
前記整地機構は、前記機体が所定の向きに進行する場合において前記耕耘装置の後方に位置する整地板を有することを特徴とする歩行型管理機。
【請求項２】
前記整地機構は、前記整地板を前記トランスミッションケースへ取付ける整地板取付けステーを有し、
前記整地板取付けステーは、前記機体が前記所定の向きに進行する場合における前記トランスミッションケースの後側のフランジへ取付けられていることを特徴とする請求項１に記載の歩行型管理機。
【請求項３】
前記整地板取付けステーの上下方向における長さは、前記整地板の上下方向における長さの半分以上であることを特徴とする請求項２に記載の歩行型管理機。
【請求項４】
前記整地板の中央下側へ取付けられた残耕処理部材を備えることを特徴とする請求項１に記載の歩行型管理機。
【請求項５】
前記整地板は、前記機体が前記所定の向きに進行する場合における左右方向に並んでいる、左整地板部と、中央整地板部と、右整地板部と、を有し、
前記左整地板部の右端は、前記左右方向における位置が調整可能であるように、前記中央整地板部の左端へ取付けられており、
前記右整地板部の左端は、前記左右方向における位置が調整可能であるように、前記中央整地板部の右端へ取付けられていることを特徴とする請求項１に記載の歩行型管理機。
【発明の詳細な説明】
【技術分野】
【０００１】
本発明は、耕耘作業を含んださまざまな圃場管理作業を行うための歩行型管理機に関する。
【背景技術】
【０００２】
機体と、機体に設けられたトランスミッションケースと、トランスミッションケースから伝えられる動力を利用して耕耘を行う耕耘装置と、整地機構と、を有する歩行型管理機が、知られている（たとえば、特許文献１参照）。
【先行技術文献】
【特許文献】
【０００３】
【特許文献１】特開２００６−０２０５６２号公報
【発明の概要】
【発明が解決しようとする課題】
【０００４】
しかしながら、上述された従来の歩行型管理機においては、圃場管理作業における整地の精度が必ずしも十分ではない。
【０００５】
本発明は、上述された従来の課題を考慮し、圃場管理作業における整地の精度を向上する歩行型管理機を提供することを目的とする。
【課題を解決するための手段】
【０００６】
第１の本発明は、機体と、
前記機体に設けられたトランスミッションケースと、
前記トランスミッションケースから伝えられる動力を利用して耕耘を行う耕耘装置と、
前記トランスミッションケースへ取付けられた整地機構と、
を備え、
前記整地機構は、前記機体が所定の向きに進行する場合において前記耕耘装置の後方に位置する整地板を有することを特徴とする歩行型管理機である。
【０００７】
これにより、整地機構は、機体が所定の向きに進行する場合において耕耘装置の後方に位置する整地板を有するので、圃場管理作業における整地の精度を向上することができる。
【０００８】
第２の本発明は、前記整地機構は、前記整地板を前記トランスミッションケースへ取付ける整地板取付けステーを有し、
前記整地板取付けステーは、前記機体が前記所定の向きに進行する場合における前記トランスミッションケースの後側のフランジへ取付けられていることを特徴とする第１の本発明の歩行型管理機である。
【０００９】
これにより、整地板取付けステーは、機体が所定の向きに進行する場合におけるトランスミッションケースの後側のフランジへ取付けられているので、土から被る負荷抵抗に起因した整地板取付けステーの変形を抑制することができる。
【００１０】
第３の本発明は、前記整地板取付けステーの上下方向における長さは、前記整地板の上下方向における長さの半分以上であることを特徴とする第２の本発明の歩行型管理機である。
【００１１】
これにより、整地板取付けステーの上下方向における長さは、整地板の上下方向における長さの半分以上であるので、土から被る負荷抵抗に起因した整地板取付けステーの変形をさらに抑制することができる。
【００１２】
第４の本発明は、前記整地板の中央下側へ取付けられた残耕処理部材を備えることを特徴とする第１の本発明の歩行型管理機である。
【００１３】
これにより、整地板の中央下側へ取付けられた残耕処理部材を備えるので、圃場管理作業における残耕処理の精度を向上することができる。
【００１４】
第５の本発明は、前記整地板は、前記機体が前記所定の向きに進行する場合における左右方向に並んでいる、左整地板部と、中央整地板部と、右整地板部と、を有し、
前記左整地板部の右端は、前記左右方向における位置が調整可能であるように、前記中央整地板部の左端へ取付けられており、
前記右整地板部の左端は、前記左右方向における位置が調整可能であるように、前記中央整地板部の右端へ取付けられていることを特徴とする第１の本発明の歩行型管理機である。
【００１５】
これにより、左整地板部の右端は、左右方向における位置が調整可能であるように、中央整地板部の左端へ取付けられており、右整地板部の左端は、左右方向における位置が調整可能であるように、中央整地板部の右端へ取付けられているので、左右方向における左整地板部および右整地板部の取付け位置を調整することができる。
【発明の効果】
【００１６】
本発明により、圃場管理作業における整地の精度を向上することが可能な歩行型管理機を提供することができる。
【図面の簡単な説明】
【００１７】
【図１】本発明における実施の形態の歩行型管理機の左側面図
【図２】（ａ）本発明における実施の形態の歩行型管理機の整地機構近傍の部分断面図、（ｂ）本発明における実施の形態の歩行型管理機の整地機構近傍の部分左側面図
【図３】本発明における実施の形態の歩行型管理機の整地機構近傍の模式的な部分斜視図
【図４】（ａ）本発明における実施の形態の歩行型管理機の整地機構の部分断面図、（ｂ）本発明における実施の形態の歩行型管理機の整地機構の模式的な部分斜視図
【図５】（ａ）本発明における実施の形態の歩行型管理機の尾輪近傍の部分左側面図、（ｂ）本発明における実施の形態の歩行型管理機の尾輪近傍の部分背面図
【図６】本発明における実施の形態の歩行型管理機の尾輪近傍の部分斜視図
【図７】本発明における別の実施の形態の歩行型管理機の耕耘装置近傍の部分上面図
【発明を実施するための形態】
【００１８】
以下、図面を参照しながら、本発明における実施の形態について詳細に説明する。
【００１９】
はじめに、図１を参照しながら、本実施の形態の歩行型管理機の構成および動作について具体的に説明する。
【００２０】
ここに、図１は、本発明における実施の形態の歩行型管理機の左側面図である。
【００２１】
図１においては、ハンドル構造体９０が機体１０の前部にあるフード１４の上方に位置するようにターンされている状態が示されている。
【００２２】
ハンドル構造体９０は、ハンドル構造体ターン機構９１を利用して、上下方向におけるハンドル構造体ターン軸９１ａの周りに両矢印Ｘ３で示された方向において自由にターン可能である。
【００２３】
機体１０の作業進行向きが矢印Ｘ１で示された向きである場合においては、ハンドル構造体９０は、耕耘深さが通常の深さである圃場管理作業を行うために、機体１０の後部にある尾輪８０の上方に位置するようにターンされる。即ち、負荷が中程度から重負荷時に使用するような作業に適している。
【００２４】
機体１０の作業進行向きが矢印Ｘ２で示された向きである場合においては、ハンドル構造体９０は、たとえば、畝間溝整地作業などのような圃場管理作業、畝を立てる畝立て作業、または藁などで土表面を被覆するマルチ作業などのために、機体１０の前部にあるフード１４の上方に位置するようにターンされる。
【００２５】
矢印Ｘ２で示された向きは、本発明における所定の向きの一例である。
【００２６】
機体１０の前部にあるフード１４の下方には、エンジン２０およびトランスミッションケース３０などが取付けられている支持フレーム１３が設けられている。トランスミッションケース３０の前部の下方には、左右一対の走行輪１１を支持する左右一対の車軸１２が突設されている。トランスミッションケース３０の後部の下方には、耕耘軸４１が突設されている。耕耘装置４０には、複数の耕耘爪４２が取付けられている。
【００２７】
エンジン２０の上方には、燃料タンクキャップ５１を有する燃料タンク５０が設けられている。エンジン２０の回転動力は、ベルトカバー１５により覆われたベルトによりトランスミッションケース３０に伝えられる。トランスミッションケース３０で減速された回転動力は、左右一対の走行輪１１、および耕耘装置４０に伝えられる。
【００２８】
トランスミッションケース３０の上方には、ロータリークラッチレバー２１などが取付けられているハンドル構造体９０の基部が接続されている。
【００２９】
つぎに、図２（ａ）、２（ｂ）および３を主として参照しながら、本実施の形態の歩行型管理機の構成および動作についてより具体的に説明する。
【００３０】
ここに、図２（ａ）は本発明における実施の形態の歩行型管理機の整地機構１０００近傍のＢ−Ｂ´線（図２（ｂ）参照）部分断面図であり、図２（ｂ）は本発明における実施の形態の歩行型管理機の整地機構１０００近傍の部分左側面図であり、図３は本発明における実施の形態の歩行型管理機の整地機構１０００近傍の模式的な部分斜視図である。
【００３１】
耕耘装置４０は、機体１０に設けられたトランスミッションケース３０から伝えられる動力を利用して耕耘を行う装置である。
【００３２】
整地機構１０００は、トランスミッションケース３０へ取付けられた機構である。
【００３３】
耕耘装置４０は、本実施の形態においてはトランスミッションケース３０に設けられているが、変形例の実施の形態においては機体１０に設けられていてもよい。
【００３４】
変形例の実施の形態においては、耕耘爪４２が硬い土に入込まず機体１０が作業進行向きに飛出してしまうダッシュ現象を抑制するための安全部材がトランスミッションケース３０のフランジ３１へ取付けられていてもよい。
【００３５】
整地機構１０００は、機体１０が矢印Ｘ２で示された向きに進行する場合において耕耘装置４０の後方に位置する整地板１１００を有する。
【００３６】
整地板１１００は、耕耘装置４０の耕耘軸４１と走行輪１１の車軸１２との間に位置するようにトランスミッションケース３０の下側へ取付けられている。したがって、トランスミッションケース３０は剛体であり、耕耘装置４０により破砕された土からの負荷抵抗は破砕されない土からの負荷抵抗と比べてかなり小さいので、整地板１１００の変形は発生しにくい。
【００３７】
整地機構１０００は、整地板１１００をトランスミッションケース３０へ取付ける整地板取付けステー１２００を有する。
【００３８】
整地板取付けステー１２００は、機体１０が矢印Ｘ２で示された向きに進行する場合におけるトランスミッションケース３０の後側のフランジ３１へ取付けられている。
【００３９】
整地板取付けステー１２００の前側がトランスミッションケース３０へ取付けられているので、整地板取付けステー１２００の後側へ取付けられた整地板１１００が土からの負荷抵抗を被っても、整地板取付けステー１２００へ印加される力は矢印Ｘ１で示された向きの引張り力である。したがって、引張り力に関する板の剛性は大きいので、整地板取付けステー１２００の変形は発生しにくい。
【００４０】
整地板取付けステー１２００は、左整地板取付けステー部１２１０と、右整地板取付けステー部１２２０と、を有する。
【００４１】
フランジ３１は、左整地板取付けステー部１２１０と右整地板取付けステー部１２２０との間に隣接的に位置する。
【００４２】
左整地板取付けステー部１２１０の上側の孔１２１１は螺子１２０１が貫通する長孔であり、左整地板取付けステー部１２１０の下側の孔１２１２は螺子１２０２が貫通する長孔である。右整地板取付けステー部１２２０の上側の孔１２２１は螺子１２０１が貫通する長孔であり、右整地板取付けステー部１２２０の下側の孔１２２２は螺子１２０２が貫通する長孔である。
【００４３】
孔１２１１、１２１２、１２２１および１２２２は、長手方向が上下方向にほぼ一致する長孔である。したがって、上下方向における整地板１１００の取付け位置は、圃場面からの高さにより影響される、整地板１１００の前方の土溜まりの量などを考慮して調整可能である。
【００４４】
変形例の実施の形態においては、上下方向における整地板１１００の取付け位置が調整可能であるように、孔１２１１、１２１２、１２２１および１２２２に対応するフランジ３１の孔が長孔であってもよい。
【００４５】
整地板取付けステー１２００の上下方向における長さＮは、整地板１１００の上下方向における長さＭの半分以上である。
【００４６】
長さＭが十分に大きいので、整地板１１００が土から被る負荷抵抗がかなり大きくなっても、整地板取付けステー１２００の変形は発生しにくい。
【００４７】
残耕処理部材２０００は、整地板１１００の中央下側へ取付けられた部材である。
【００４８】
耕耘装置４０により破砕されにくい、整地板１１００の中央下側の土は、矢印Ｘ２で示された向きに突出している残耕処理部材２０００によりきれいに破砕される。
【００４９】
残耕処理部材２０００は整地板１１００へ取付けられるので、残耕処理部材２０００をトランスミッションケース３０へ取付ける残耕処理部材取付けステーは不要であり、部品点数の増大が抑制される。
【００５０】
摩耗した残耕処理部材２０００のみの交換によるメンテナンスを容易に行うことができるように、残耕処理部材２０００は整地板１１００へ脱着可能に取付けられていることが望ましい。
【００５１】
整地板１１００は、機体１０が矢印Ｘ２で示された向きに進行する場合における左右方向に並んでいる、左整地板部１１１０と、中央整地板部１１３０と、右整地板部１１２０と、を有する。
【００５２】
左整地板部１１１０の左端である外側端１１１０ａと、右整地板部１１２０の右端である外側端１１２０ａと、は、中央整地板部１１３０の後方に位置する。
【００５３】
整地板１１００は、変形が発生しにくい、上面視におけるＶ字形状の剛体を形成するので、整地板１１００の前方の土溜まりの量は抑制され、整地板１１００の土への入込みは抑制される。したがって、整地板１１００が土から被る負荷抵抗は過度に大きくならず、機体１０は容易に進行することができる。
【００５４】
外側端１１１０ａおよび１１２０ａは、後方へ向かってＬ字形状で折曲げられている。したがって、走行輪１１は耕耘装置４０により機体１０の外側へ押出された土を踏みにくいので、整地作業を安定して行うことができる。
【００５５】
整地板１１００の上側端の高さは、走行輪１１の車軸１２の高さにほぼ一致する。したがって、整地板１１００の高さは過度に大きくないので、耕耘装置４０により破砕された土は整地板１１００の外側へ容易に押出され、整地板１１００の前方の土溜まりの量は適度に減り、機体１０の走行抵抗は大きくならない。
【００５６】
左整地板部１１１０の右端は、左右方向における位置が調整可能であるように、中央整地板部１１３０の左端へ取付けられている。
【００５７】
中央整地板部１１３０は、左整地板部１１１０の前方に隣接的に位置する。
【００５８】
左整地板部１１１０の上側の孔１１１１は螺子１１０１が貫通する長孔であり、左整地板部１１１０の下側の孔１１１２は螺子１１０２が貫通する長孔である。
【００５９】
孔１１１１および１１１２は、長手方向が左右方向にほぼ一致する長孔である。したがって、左右方向における左整地板部１１１０の取付け位置は、畝または畝間溝の幅などを考慮して調整可能である。
【００６０】
変形例の実施の形態においては、左右方向における左整地板部１１１０の取付け位置が調整可能であるように、孔１１１１および１１１２に対応する中央整地板部１１３０の孔が長孔であってもよい。
【００６１】
右整地板部１１２０の左端は、左右方向における位置が調整可能であるように、中央整地板部１１３０の右端へ取付けられている。
【００６２】
中央整地板部１１３０は、右整地板部１１２０の前方に隣接的に位置する。
【００６３】
右整地板部１１２０の上側の孔１１２１は螺子１１０３が貫通する長孔であり、右整地板部１１２０の下側の孔１１２２は螺子１１０４が貫通する長孔である。
【００６４】
孔１１２１および１１２２は、長手方向が左右方向にほぼ一致する長孔である。したがって、左右方向における右整地板部１１２０の取付け位置は、畝または畝間溝の幅などを考慮して調整可能である。
【００６５】
変形例の実施の形態においては、左右方向における右整地板部１１２０の取付け位置が調整可能であるように、孔１１２１および１１２２に対応する中央整地板部１１３０の孔が長孔であってもよい。
【００６６】
整地底板１３００は、溶接などを利用して、中央整地板部１１３０の左部と中央整地板部１１３０の右部とを繋ぐように中央整地板部１１３０の下側端へしっかり取付けられているので、上面視における中央整地板部１１３０のＶ字形状は変形しにくく、整地板１１００の土への入込みは抑制される。したがって、整地板１１００が土から被る負荷抵抗は過度に大きくならず、機体１０は容易に進行することができる。
【００６７】
図４（ａ）および４（ｂ）に示されているように、整地底板１３００の前側端の突出幅δは、右整地板部１１２０の板厚と同じである、左整地板部１１１０の板厚にほぼ一致する。
【００６８】
ここに、図４（ａ）は本発明における実施の形態の歩行型管理機の整地機構１０００のＡ−Ａ´線（図２（ａ）参照）部分断面図であり、図４（ｂ）は本発明における実施の形態の歩行型管理機の整地機構１０００の模式的な部分斜視図である。
【００６９】
図４（ｂ）においては、整地機構１０００のＡ−Ａ´線断面が示されている。
【００７０】
整地底板１３００は左整地板部１１１０の下側端と右整地板部１１２０の下側端とを前側端の突出幅δで水平に支えるので、左整地板部１１１０も右整地板部１１２０も中央整地板部１１３０への取付け時に傾きにくい。
【００７１】
畝または畝間溝の土表面を受ける整地底板１３００は、変形が発生しにくい、断面視におけるＬ字形状の剛体を整地板１１００とともに形成するので、整地板１１００の土への入込みは抑制される。したがって、整地板１１００が土から被る負荷抵抗は過度に大きくならず、機体１０は容易に進行することができる。
【００７２】
つぎに、図５（ａ）、５（ｂ）および６を主として参照しながら、本実施の形態の歩行型管理機の構成および動作についてさらにより具体的に説明する。
【００７３】
ここに、図５（ａ）は本発明における実施の形態の歩行型管理機の尾輪８０近傍の部分左側面図であり、図５（ｂ）は本発明における実施の形態の歩行型管理機の尾輪８０近傍の部分背面図であり、図６は本発明における実施の形態の歩行型管理機の尾輪８０近傍の部分斜視図である。
【００７４】
抵抗棒ホルダー７１により保持された抵抗棒７０の高さは尾輪上下調整機構８１を利用して調整可能であるので、畝または畝間溝の土表面を受ける、抵抗棒７０の下側端へ取付けられた尾輪８０の高さも調整可能である。
【００７５】
尾輪８０は、高さが尾輪上下調整機構８１の螺子回転で容易に調整される、双転輪であり、機体１０の上下および左右方向における動きに起因した機体姿勢変化は走行輪１１によってのみならず尾輪８０によっても抑制されるので、整地板１１００に関する土押し量および負荷抵抗は所定の範囲内に調整される。したがって、機体１０の左右方向における傾きが抑制されるので、作業を容易に行うことができ、整地板１１００の左右方向における傾きも抑制されるので、負荷抵抗の左右非対称性に起因した整地板１１００の変形は発生しにくく、整地後の畝または畝間溝の土表面もほぼ水平になる。
【００７６】
尾輪８０の高さを調整することにより、耕耘爪４２の圃場面への切削深さを容易に変更することができる。
【００７７】
尾輪８０は、本実施の形態においては双転輪であるが、変形例の実施の形態においては機体１０の左右方向における中心に配置された一つの転輪であってもよい。
【００７８】
車速が整地板１１００に関する土押し量および負荷抵抗などを考慮して走行しながら無段階に調整可能であるように、トランスミッションケース３０はＨＳＴ（Ｈｙｄｒｏ  Ｓｔａｔｉｃ  Ｔｒａｎｓｍｉｓｓｉｏｎ）を利用して構成されていることが望ましい。
【００７９】
ロータリーセンターカバー６１は、左右一対の板金製カバーであり、両矢印Ｘ４で示された方向において回転開閉される。
【００８０】
ロータリー左右スライドカバー６２は、左右一対の板金製カバーであり、両矢印Ｘ５およびＸ６で示された方向においてスライドされる。
【００８１】
ロータリーサイドカバー６３は、左右一対の板金製カバーであり、両矢印Ｘ７で示された方向において回転開閉される。
【００８２】
ロータリーセンターカバープロテクター６４は、一つのゴム製プロテクターであり、機体１０が矢印Ｘ２で示された向きに進行する場合における土の飛散りを抑制するために、ロータリーセンターカバー６１の前側に位置するように取付けられている。
【００８３】
ロータリー左右スライドカバープロテクター６５は、左右一対のゴム製プロテクターであり、機体１０が矢印Ｘ２で示された向きに進行する場合における土の飛散りを抑制するために、ロータリー左右スライドカバー６２の前側に位置するように取付けられている。
【００８４】
ロータリーサイドカバープロテクター６６は、左右一対のゴム製プロテクターであり、土の飛散りを抑制するために、ロータリーサイドカバー６３の外側に位置するように取付けられている。
【００８５】
図７に示されているように、延長プロテクター６８がウイング部材６７とともに取付けられていてもよい。
【００８６】
ここに、図７は、本発明における別の実施の形態の歩行型管理機の耕耘装置４０近傍の部分上面図である。
【００８７】
ウイング部材６７は、四つのゴム製部材であり、土の飛散りを抑制するために、ロータリー左右スライドカバー６２とロータリーサイドカバー６３との間へ取付けられており、庇のような斜面を形成する。
【００８８】
延長プロテクター６８は、左右一対のゴム製プロテクターであり、機体１０が矢印Ｘ２で示された向きに進行する場合における土の飛散りを抑制するために、ロータリーセンターカバープロテクター６４の外側に位置するように取付けられており、庇のような斜面を形成する。
【００８９】
変形例の実施の形態においては、左右一対の延長プロテクター６８の少なくとも一つがロータリーセンターカバープロテクター６４と一体的に設けられていてもよい。
【００９０】
延長プロテクター６８はウイング部材６７の下側端から下方へ向かって延出されているので、機体１０が矢印Ｘ２で示された向きに進行する場合において、ウイング部材６７から飛散った土は延長プロテクター６８に衝突して下に落ちる。したがって、整地板１１００が土から被る負荷抵抗は過度に大きくならず、機体１０が畝間溝において進行する場合において、土は畝間溝の両側の畝の作物に飛散らない。
【産業上の利用可能性】
【００９１】
本発明における歩行型管理機は、圃場管理作業における整地の精度を向上することができ、耕耘作業を含んださまざまな圃場管理作業を行うための歩行型管理機に利用する目的に有用である。
【符号の説明】
【００９２】
１０  機体
１１  走行輪
１２  車軸
１３  支持フレーム
１４  フード
１５  ベルトカバー
２０  エンジン
２１  ロータリークラッチレバー
３０  トランスミッションケース
３１  フランジ
４０  耕耘装置
４１  耕耘軸
４２  耕耘爪
５０  燃料タンク
５１  燃料タンクキャップ
６１  ロータリーセンターカバー
６２  ロータリー左右スライドカバー
６３  ロータリーサイドカバー
６４  ロータリーセンターカバープロテクター
６５  ロータリー左右スライドカバープロテクター
６６  ロータリーサイドカバープロテクター
６７  ウイング部材
６８  延長プロテクター
７０  抵抗棒
７１  抵抗棒ホルダー
８０  尾輪
８１  尾輪上下調整機構
９０  ハンドル構造体
９１  ハンドル構造体ターン機構
９１ａ  ハンドル構造体ターン軸
１０００  整地機構
１１００  整地板
１１０１、１１０２、１１０３、１１０４  螺子
１１１０  左整地板部
１１１０ａ  外側端
１１１１、１１１２  孔
１１２０  右整地板部
１１２０ａ  外側端
１１２１、１１２２  孔
１１３０  中央整地板部
１２００  整地板取付けステー
１２０１、１２０２  螺子
１２１０  左整地板取付けステー部
１２１１、１２１２  孔
１２２０  右整地板取付けステー部
１２２１、１２２２  孔
１３００  整地底板
２０００  残耕処理部材
【図１】
2019205382.tif 000003
【図２】
2019205382.tif 000004
【図３】
2019205382.tif 000005
【図４】
2019205382.tif 000006
【図５】
2019205382.tif 000007
【図６】
2019205382.tif 000008
【図７】
2019205382.tif 000009